(57)【特許請求の範囲】
【請求項１】
記録媒体に記録されている映像情報及び／又は音声情報を、複数の再生モードのうちのいずれかで再生する再生手段と、前記再生手段によって映像情報及び／又は音声情報を再生した際の再生モードを保存する保存手段と、前記保存手段により保存された再生モードを再生履歴として表示する表示手段と、記録コンテンツの必要個所の消去指示を出すデータ消去制御部と、過去の再生履歴を記録する再生情報蓄積部と、該再生情報蓄積部に記録された過去の再生履歴に応じて消去データを決定するための消去条件を設定する消去条件設定部とを備えたことを特徴とする情報再生装置。
【請求項２】
前記請求項１に記載の情報再生装置において、
前記再生手段によって映像情報及び／又は音声情報を再生した際の使用者を識別する識別手段を設け、
前記保存手段は、前記識別手段により識別された使用者と関連付けて再生モードを保存し、
前記表示手段は、使用者毎の再生モードを再生履歴として表示することを特徴とする情報再生装置。
【請求項３】
前記請求項１又は２に記載の情報再生装置において、
前記再生手段によるそれぞれの再生モードでの再生回数をカウントするカウント手段を設け、
前記保存手段は、それぞれの再生モードをその再生回数とともに保存し、
前記表示手段は、再生モード毎の再生回数を再生履歴として表示することを特徴とする情報再生装置。
【請求項４】
前記請求項１乃至３のいずれかに記載の情報再生装置において、
前記保存手段に保存された再生モードに基づいて、前記再生手段によって映像情報及び／又は音声情報を再生する再生モードを決定する決定手段を設けたことを特徴とする情報再生装置。
【請求項５】
前記請求項１乃至４のいずれかに記載の情報再生装置において、
前記保存手段に保存された再生モードに基づいて、前記記録媒体に記録されている映像情報及び／又は音声情報の一部又は全部を消去する消去手段を設けたことを特徴とする情報再生装置。
【発明の詳細な説明】
【０００１】
【発明の属する技術分野】
本発明は、記録媒体に記録されている映像情報及び／又は音声情報を、複数の再生モードで再生することが可能な情報再生装置に関するものである。
【０００２】
【従来の技術】
従来のこの種の情報再生装置として、例えば特開２００１−３５１３９号公報には、記録内容の状況（例えば、再生済／未再生／空き領域による分類）を再生履歴一覧として作成・表示するものが提案されている。
【０００３】
また、特開２０００−１３８８８６号公報には、各録画番組について既に再生し視聴した時間領域を矩形で表示する棒グラフである再生履歴グラフを一覧表示するものが提案されている。
【０００４】
【発明が解決しようとする課題】
しかしながら、上述した従来の情報再生装置においては、記録コンテンツ毎にどの部分が再生済であり、どの部分が未再生であるかを、表示することが可能であるが、記録コンテンツを再生した際の再生モード（スロー再生や倍速再生、巻き戻し再生等の各特殊再生モード）までを詳細に表示することはできず、また、記録コンテンツのそれぞれの個所について、各再生モードを用いた再生が何回行われたかを表示することはできなかった。
【０００５】
さらに、各記録コンテンツの過去の詳細な再生状況に基づいて、次回の再生モードを自動的に決定して再生することはできなかった。また、各記録コンテンツの過去の詳細な再生状況に基づいて、記録コンテンツの一部分又は全部を、選択的に消去することはできなかった。
【０００６】
本発明は、上記課題に鑑みてなされたものであり、記録コンテンツ毎に過去の再生状況を詳細に記録し、使用者に提示することによって、より使い勝手の良い情報再生装置を提供するものである。また、過去の詳細な再生状況に基づいて、次回再生時の再生モードを変化させたり、所定部分の情報を消去することができる情報再生装置を提供するものである。
【０００７】
【課題を解決するための手段】
本願の第１の発明は、記録媒体に記録されている映像情報及び／又は音声情報を、複数の再生モードのうちのいずれかで再生する再生手段と、前記再生手段によって映像情報及び／又は音声情報を再生した際の再生モードを保存する保存手段と、前記保存手段により保存された再生モードを再生履歴として表示する表示手段と、記録コンテンツの必要個所の消去指示を出すデータ消去制御部と、過去の再生履歴を記録する再生情報蓄積部と、該再生情報蓄積部に記録された過去の再生履歴に応じて消去データを決定するための消去条件を設定する消去条件設定部とを備えたことを特徴とする。
【０００８】
本願の第２の発明は、前記再生手段によって映像情報及び／又は音声情報を再生した際の使用者を識別する識別手段を設け、前記保存手段が、前記識別手段により識別された使用者と関連付けて再生モードを保存し、前記表示手段は、使用者毎の再生モードを再生履歴として表示することを特徴とする。
【０００９】
本願の第３の発明は、前記再生手段によるそれぞれの再生モードでの再生回数をカウントするカウント手段を設け、前記保存手段が、それぞれの再生モードをその再生回数とともに保存し、前記表示手段は、再生モード毎の再生回数を再生履歴として表示することを特徴とする。
【００１０】
本願の第４の発明は、前記保存手段に保存された再生モードに基づいて、前記再生手段によって映像情報及び／又は音声情報を再生する再生モードを決定する決定手段を設けたことを特徴とする。
【００１１】
本願の第５の発明は、前記保存手段に保存された再生モードに基づいて、前記記録媒体に記録されている映像情報及び／又は音声情報の一部又は全部を消去する消去手段を設けたことを特徴とする。
【００１２】
【発明の実施の形態】
以下、本発明の第１実施形態を、図１乃至図３とともに詳細に説明する。ここで、図１は本実施形態における概略構成を示す機能プロック図、図２は本実施形態における再生履歴表示を示す説明図、図３は本実施形態における再生履歴情報の記録例を示す説明図である。
【００１３】
図１において、１００は映像情報及び／又は音声情報が記録されている映像音声蓄積部、１０１は映像音声蓄積部１００に記録されている映像情報及び／又は音声情報を再生する映像音声再生部である。
【００１４】
また、１０２は映像音声再生部１０１による映像情報及び／又は音声情報の再生時の状況を、再生時の映像情報及び／又は音声情報と同期して保存する再生情報蓄積部、１０３は再生情報蓄積部１０２に保存された再生時の状況を映像とともにＯＳＤ表示する映像表示部である。
【００１５】
ここで、映像音声蓄積部１００は再生するコンテンツの映像及び／又は音声データを保存する個所であり、ハードディスクなどを用いることができる。映像音声再生部１０１は、映像音声蓄積部１００より所望の映像及び／又は音声データを読み出し、映像表示部１０３で表示することができる映像形式に変換、また音声を再生する。この映像音声再生部１０１は、複数の再生モード（通常再生、スロー再生、倍速再生、巻き戻し再生などの再生モード）で映像及び／又は音声データを再生することが可能である。
【００１６】
再生情報蓄積部１０２では、映像音声再生部１０１にて再生した映像及び／又は音声データに同期して、映像音声再生部１０１で用いた再生モードを記録する。すなわち、通常再生、スロー再生、倍速再生、巻き戻し再生などの再生モードのいずれを用いて再生したかを示す再生情報を保存する。
【００１７】
そして、映像表示部１０３は、再生情報蓄積部１０２に保存された再生情報を用いて、例えば図２に示すように、映像及び／又は音声データＡについての再生履歴情報を、「未再生個所」、「通常再生済個所」、「スロー再生済個所」、「倍速再生済個所」に色分けしてＯＳＤ表示する。
【００１８】
当該装置の使用者は、過去の再生モードを含む詳細な再生状況の視認することができるので、次回の再生時にどの部分をどのように再生するかを判断し、必要な個所を的確に再生することが可能になる。
【００１９】
図３は再生情報の保存方法の一例であり、映像及び／又は音声データの再生開始時間から１分毎に「通常再生済である」、「スロー再生済である」、「未再生である」、「倍速再生済である」の情報を保存したものである。記録コンテンツの再生時に、再生した個所の再生情報を「未再生」から、それぞれの再生モードによる「再生済」に書き替える。
【００２０】
これにより、映像及び／又は音声と１分毎に同期した再生履歴情報を記録することが可能である。尚、再生情報の記録間隔をより短くすることによって、より細かく映像及び／又は音声に同期した再生履歴を記録することができる。
【００２１】
また、再生履歴の記録方法として単位時間毎に行うのではなく、それぞれの再生モードによる再生開始時刻、終了時刻を全て記録することで、詳細な再生履歴の保存を実現することも可能である。さらに、上述のように単位時間毎に再生履歴を記録し、映像及び／又は音声と同期させるのではなく、フレーム毎とか、I-Picture毎といった情報と同期させることも可能である。
【００２２】
次に、本発明の第２実施形態を、図４乃至図６とともに詳細に説明するが、上記第１実施形態と同一部分には同一符号を付し、その説明は省略する。ここで、図４は本実施形態における概略構成を示す機能プロック図、図５は本実施形態における再生履歴表示を示す説明図、図６は本実施形態における再生履歴情報の記録例を示す説明図である。
【００２３】
図４において、１０４は当該装置の使用者を識別する使用者識別部であり、例えば当該装置の起動時／再生操作時に、リモコンや当該装置に搭載しているボタンやスイッチ等を用いて使用者名、使用者ＩＤを入力させる方法を用いて、使用者を識別するものである。
【００２４】
この使用者識別部１０４で識別された使用者情報は、再生情報蓄積部１０２に出力され、使用者毎の過去に再生を行った再生モードが映像及び／又は音声情報と同期して、再生情報蓄積部１０２に記録される。
【００２５】
そして、映像表示部１０３は、再生情報蓄積部１０２に保存された再生情報を用いて、例えば図５に示すように、映像及び／又は音声データＡについての各使用者１〜４における再生履歴情報を、「未再生個所」、「通常再生済個所」、「スロー再生済個所」、「倍速再生済個所」に色分けしてＯＳＤ表示する。
【００２６】
図６は再生情報の保存方法の一例であり、映像及び／又は音声データの再生開始時間から１分毎に各使用者毎の「未再生」、「通常再生」、「スロー再生」、「倍速再生」の情報を保存したものである。記録コンテンツの再生時に、各使用者毎の再生した個所の再生情報を「未再生」から、それぞれの再生モードによる「再生済」に書き替える。
【００２７】
これによって、映像及び／又は音声と１分毎に同期した使用者毎の詳細な再生履歴情報を記録・表示することが可能であり、複数の使用者が共用する情報再生装置であって、各使用者は自分の詳細な再生履歴を知ることができるので、使い勝手を向上させることができる。
【００２８】
すなわち、ある使用者は、「家族全員が映像音声データＡの全てを何らかの再生方法で再生したから、その映像音声データＡは消去しても良い」といった判断をすることが可能となる。また、教材として記録してある映像音声データＡについて、誰が再生、視聴し終わったかを確認し、未視聴者には視聴を促す指示を出すといった使用も可能である。
【００２９】
さらに、複数の使用者が同席している中で、そのうちの誰か１人でも未視聴な個所から再生し、使用者それぞれが、ここまで見たとか、ここは見たといった説明をそれぞれから伺い、再生個所を決めるといった手間を省くことが可能である。
【００３０】
尚、再生情報の記録間隔をより短くすることによって、より細かく映像及び／又は音声に同期した再生履歴を記録することができる。また、再生履歴の記録方法として単位時間毎に行うのではなく、使用者毎にある再生モードによる再生開始時刻、終了時刻をそれぞれ記録することで、実現することも可能である。
【００３１】
次に、本発明の第３実施形態を、図７及び図８とともに詳細に説明するが、上記第１実施形態と同一部分には同一符号を付し、その説明は省略する。ここで、図７は本実施形態における再生履歴表示を示す説明図、図８は本実施形態における再生履歴情報の記録例を示す説明図である。
【００３２】
本実施形態においては、図７に示すように、ある映像音声データＡについてのスロー再生回数情報を、映像表示部１０３のＯＳＤ上にヒストグラム表示するよう構成されている。
【００３３】
図８はスロー再生回数情報の保存方法の一例であり、映像及び／又は音声データの再生開始時間から１分毎に、「スロー再生回数」を保存したものである。記録コンテンツのスロー再生時に、スロー再生した個所のスロー再生回数を１加算した値に書き替える。
【００３４】
これにより、映像及び／又は音声と１分毎に同期したスロー再生回数情報を記録することが可能である。尚、スロー再生回数情報の記録間隔をより短くすることによって、より細かく映像及び／又は音声に同期した再生回数履歴を記録することができる。
【００３５】
本実施形態においては、例えば１回しかスロー再生、視聴していないところだけもう一度視聴するといったことが可能となる。また、映画等でお気に入りのシーンを何度も過去にスロー再生、視聴した場合には、後日この映像音声に同期した、過去の詳細な再生回数情報を見ることによって、すぐにその個所を選択、再生することが可能である。
【００３６】
さらに、教材として記録してある映像音声データを、全編にわたり５回視聴することを目標とした使用者にとって、本機能によって、未達成個所を容易に確認し、そこを選択、再生することが可能である。その際に、早送り再生や、倍速再生で、取り急ぎ視聴した個所も確認することが可能である。
【００３７】
次に、本発明の第４実施形態を、図９及び図１０とともに詳細に説明するが、上記第１実施形態と同一部分には同一符号を付し、その説明は省略する。ここで、図９は本実施形態における概略構成を示す機能ブロック図、図１０は本実施形態における再生方法設定のためのＯＳＤ例を示す説明図である。
【００３８】
図９において、１０５は再生情報蓄積部１０２にて記録されている過去の再生履歴に応じて、映像音声再生部１０１による再生モードを決定するための再生方法決定制御部である。
【００３９】
本実施形態においては、図１０に示すように、映像表示部１０３により過去の再生履歴に対して、どのように再生するかを設定するＯＳＤ表示を行い、使用者はこれを見ながら過去の再生状況に対応した今回の再生方法（再生モード）を指定することができる。
【００４０】
これによって、使用者が例えば映像音声データＡの再生指示を行うと、再生方法決定制御部１０５は映像音声データＡの過去の再生状況に基づいて、予め使用者により指定された再生モードを決定し、この決定された再生モードにて映像音声データＡを再生することができる。このとき、コンテンツの途中で自動的にスロー再生を行ったり、倍速再生にするといった動作が実現可能である。
【００４１】
次に、本発明の第５実施形態を、図１１及び図１２とともに詳細に説明するが、上記第１実施形態と同一部分には同一符号を付し、その説明は省略する。ここで、図１１は本実施形態における概略構成を示す機能ブロック図、図１２は本実施形態における消去条件設定のためのＯＳＤ例を示す説明図である。
【００４２】
図１１において、１０６は映像音声蓄積部１００に記録されている記録コンテンツの必要個所の消去指示を出すデータ消去制御部、１０７は再生情報蓄積部１０２にて記録されている過去の再生履歴に応じて、データ消去制御部１０６による消去データを決定するための消去条件を設定する消去条件設定部である。
【００４３】
本実施形態においては、図１２に示すように、映像表示部１０３により過去の再生履歴に対して、消去の可否を設定するＯＳＤ表示を行い、使用者はこれを見ながら過去の再生状況に対応したデータの消去条件を指定することができる。
【００４４】
これによって、使用者が例えば映像音声データＡの消去指示を行うと、データ消去制御部１０６は映像音声データＡの過去の再生状況に基づいて、予め使用者により指定された消去条件に従い、映像音声データＡの一部分又は全部を映像音声蓄積部１００から消去することができる。
【００４５】
尚、上述した第１〜第５の実施形態を適宜組み合わせて構成しても良く、その場合、例えば「全使用者が、通常再生、もしくは倍速再生を２回以上行った個所以外のみを、通常再生する」とか、「全使用者が、通常再生、もしくは倍速再生を２回以上行った個所のみ消去する」といった操作も当然可能となる。
【００４６】
【発明の効果】
本発明の情報再生装置によれば、使用者はそれぞれの映像及び／又は音声データの過去の詳細な再生履歴を知ることができるため、例えば未再生の部分のみを選んで再生したり、倍速再生した部分を通常再生で再視聴するといったことを容易に決定することが可能となり、使い勝手を向上させることができる。
【００４７】
また、使用者毎の過去の詳細な再生履歴を知ることができるので、複数の使用者が共用する情報再生装置であって、各使用者は自分或いは他者の詳細な再生履歴を知ることが可能となり、より使い勝手を向上させることができる。
【００４８】
さらに、過去の再生回数を再生履歴として知ることができるので、より使い勝手を向上させることができる。
【００４９】
そしてまた、過去の再生状況に応じた再生方法を予め設定しておくことにより、自動的に過去の再生状況に応じて所望の再生動作を行わせることが可能となり、より使い勝手を向上させることができる。
【００５０】
また、過去の再生状況に応じた消去の可否を予め設定しておくことにより、自動的に過去の再生状況に応じて所望の個所のみを選択的に削除することが可能となり、より使い勝手を向上させることができる。
【図面の簡単な説明】
【図１】本発明の第１実施形態における概略構成を示す機能プロック図である。
【図２】本発明の第１実施形態における再生履歴表示を示す説明図である。
【図３】本発明の第１実施形態における再生履歴情報の記録例を示す説明図である。
【図４】本発明の第２実施形態における概略構成を示す機能プロック図である。
【図５】本発明の第２実施形態における再生履歴表示を示す説明図である。
【図６】本発明の第２実施形態における再生履歴情報の記録例を示す説明図である。
【図７】本発明の第３実施形態における再生履歴表示を示す説明図である。
【図８】本発明の第３実施形態における再生履歴情報の記録例を示す説明図である。
【図９】本発明の第４実施形態における概略構成を示す機能ブロック図である。
【図１０】本発明の第４実施形態における再生方法設定のためのＯＳＤ例を示す説明図である。
【図１１】本発明の第５実施形態における概略構成を示す機能ブロック図である。
【図１２】本発明の第５実施形態における消去条件設定のためのＯＳＤ例を示す説明図である。
【符号の説明】
１００  映像音声蓄積部
１０１  映像音声再生部
１０２  再生情報蓄積部
１０３  映像表示部
１０４  使用者識別部
１０５  再生方法決定制御部
１０６  データ消去制御部
１０７  消去条件設定部
【図１】
0004046483.tif 000002
【図２】
0004046483.tif 000003
【図３】
0004046483.tif 000004
【図４】
0004046483.tif 000005
【図５】
0004046483.tif 000006
【図６】
0004046483.tif 000007
【図７】
0004046483.tif 000008
【図８】
0004046483.tif 000009
【図９】
0004046483.tif 000010
【図１０】
0004046483.tif 000011
【図１１】
0004046483.tif 000012
【図１２】
0004046483.tif 000013